【手続補正書】
【提出日】平成29年3月15日(2017.3.15)
【手続補正１】
【補正対象書類名】特許請求の範囲
【補正対象項目名】全文
【補正方法】変更
【補正の内容】
【特許請求の範囲】
【請求項１】
吸収性複合材であって、
不織布基材、吸収層、およびカバー層を備え、前記不織布基材がカーデッド繊維ウェブと水流交絡された不織布保持シートを備え、前記吸収層がマイクロフィブリル化セルロースで被覆された超吸収性ポリマー粒子を含み、前記カバー層が前記吸収層と実質的に同じ広がりを持ち、前記吸収層に接着するために機械的または化学的に処理されておらず、前記カバー層を前記吸収層に結合するために接着剤が使用されていない、吸収性複合材。
【請求項２】
前記吸収層を前記カーデッド繊維ウェブに結合するために接着剤が使用されていない、請求項1に記載の吸収性複合材。
【請求項３】
前記マイクロフィブリル化セルロースが、水素結合によって前記超吸収性ポリマー粒子を互いに結合させる役割を果たす、請求項1に記載の吸収性複合材。
【請求項４】
前記マイクロフィブリル化セルロースが、水素結合によって前記超吸収性ポリマー粒子を前記カーデッド繊維ウェブに結合させる役割を果たす、請求項1に記載の吸収性複合材。
【請求項５】
前記マイクロフィブリル化セルロースが、水素結合によって前記カバー層を前記超吸収性ポリマー粒子に結合させる役割を果たす、請求項1に記載の吸収性複合材。
【請求項６】
前記マイクロフィブリル化セルロースが、水素結合によって前記カバー層を前記カーデッド繊維に結合させる役割を果たす、請求項1に記載の吸収性複合材。
【請求項７】
繊維をカーディングしてカーデッドウェブを形成する工程と、前記カーデッドウェブを不織布保持シートの上に配置する工程と、水流交絡によって前記カーデッドウェブを前記不織布保持シートに機械的に結合して不織布基材を形成する工程と、SAPスラリーの混合物とMFCスラリーの混合物を混ぜ合わせることによりMFC被覆SAPスラリーを作成する工程と、MFC被覆SAPスラリーを前記不織布基材に塗布する工程と、前記不織布基材から過剰の液体を除去し、吸収層を形成する工程と、カバー層を前記吸収層のMFC被覆SAP表面の上に配置する工程と、前記複合材を乾燥する工程とを含み、前記カバー層が前記吸収層に接着するために機械的または化学的に処理されていない、吸収性複合材の製造方法。
【請求項８】
流体透過性トップシート、流体不透過性バックシート、ならびに前記トップシートとバックシートの間に配置された捕捉分配層および吸収性複合材を備える吸収性物品であって、前記吸収性複合材が水流交絡不織布基材、吸収層およびカバー層を備え、前記カバー層が前記吸収層に接着するために機械的または化学的に処理されておらず、前記カバー層を前記吸収層に結合するために接着剤が使用されていない、吸収性物品。
【請求項９】
前記捕捉分配層が前記トップシートと吸収性複合材の間に配置されている、請求項8に記載の吸収性物品。
【請求項１０】
前記吸収性複合材がラップシートに包まれている、請求項8に記載の吸収性物品。
【請求項１１】
繊維をカーディングしてカーデッドウェブを形成する工程と、前記カーデッドウェブを不織布保持シートの上に配置する工程と、水流交絡によって前記カーデッドウェブを前記不織布保持シートに機械的に結合して不織布基材を形成する工程と、前記不織布基材上に均一にまたは所定のパターンでSAPを沈着させる工程と、マイクロフィブリル化セルローススラリーを作成する工程と、前記マイクロフィブリル化セルローススラリーを前記不織布基材に塗布する工程と、真空力によって前記不織布基材から過剰の液体を除去する工程と、カバー層を前記マイクロフィブリル化セルロース被覆SAP表面の上に配置する工程と、前記複合材を乾燥させる工程とを含む、吸収性複合材の製造方法。
【請求項１２】
吸収性複合材であって、
不織布基材、吸収層、およびカバー層を備え、前記吸収層が、マイクロフィブリル化セルロースで被覆された超吸収性ポリマー粒子を含む吸収性複合材。
【請求項１３】
超吸収性ポリマー粒子（SAP）を不織布基材に適用する工程であって、SAPは不織布基材に適用される際に乾燥しており；
マイクロフィブリル化セルロース（MFC）を不織布基材に適用しＭＦＣ-被覆ＳＡＰを形成する工程；及び
カバー層をMFC被覆SAPの上に配置し吸収性複合材を形成する工程を含む、吸収性複合材の製造方法。
【請求項１４】
前記MFCの適用が、MFCと溶媒を含むスラリーを不織布基材に適用しMFC被覆SAPを形成する工程であって、カバー層を配置した後に吸収性複合材を乾燥する工程を含む、請求項13に記載の方法。
【請求項１５】
繊維をカーディングしてカーデッドウェブを形成する工程；
カーデッドウェブを不織布保持シートの上に配置する工程；及び
水流交絡を通してカーデッドウェブを不織布保持シートと機械的に接合し、不織布基材を形成する不織布基材を形成する工程をさらに含む、請求項13に記載の方法。
【請求項１６】
ＳＡＰの適用の後でＭＦＣの適用前に湿潤溶液を不織布基材に適用する工程；
ＭＦＣの適用の後でカバー層の配置前に前記不織布基材から過剰の液体を除去する工程；及び
前記複合材を乾燥させる工程をさらに含む、請求項13に記載の方法。
【請求項１７】
吸収性物品であって：
液体透過性トップシート；
液体不透過性バックシート；
前記バックシートと前記トップシートの間に配置される、第１の吸収性複合材と前記第1の吸収性複合材に隣接して配置された第2の吸収性複合材を備える多層吸収性コア；
前記第１の吸収性複合材は、カーデッド繊維ウェブと水流交絡した不織布保持シートを含む不織布基材、カバー層および不織布基材とカバー層の間に位置する吸収性層を備え、前記吸収性層はマイクロフィブリル化セルロースで被覆された超吸収性ポリマー粒子を備え、前記第１の吸収性複合材はＭＦＣ被覆ＳＡＰ側部と不織布基材側部を備え、及び
前記第2の吸収性複合材の不織布基材側部は、前記第１の吸収性複合材のＭＦＣ被覆ＳＡＰ側部に隣接して配置され、
並びに、
前記多層吸収性コアとトップシートの間に配置されている捕捉分配層を備える、前記吸収性物品。
【請求項１８】
前記捕捉分配層が、前記第2の吸収性複合材のＭＦＣ被覆ＳＡＰ側部に隣接して配置されているか、または、前記捕捉分配層が、前記第1の吸収性複合材の不織布基材側部に隣接して配置されている、請求項17に記載の吸収性物品。
【請求項１９】
前記第1及び第2の吸収性複合材が、サイズ及び前記吸収性物品内の相対的位置づけにおいて変動する、請求項17に記載の吸収性物品。
【請求項２０】
前記多層吸収性コアが折り畳まれている、請求項17に記載の吸収性物品。
【請求項２１】
前記多層吸収性コアが、トップシートに面するように前記第2の吸収性複合材のＭＦＣ被覆ＳＡＰ側部に配向されており、または、前記多層吸収性コアが、バックシートに面するように前記第2の吸収性複合材のＭＦＣ被覆ＳＡＰ側部に配向されている、請求項17に記載の吸収性物品。
【請求項２２】
吸収性物品であって：
第１の吸収性複合材と前記第1の吸収性複合材に隣接して配置された第2の吸収性複合材を備える多層吸収性コア；
前記第１の吸収性複合材はカーデッド繊維ウェブと水流交絡した不織布保持シートを含む不織布基材、カバー層および不織布基材とカバー層の間に位置する吸収性層を備え、前記吸収性層はマイクロフィブリル化セルロースで被覆された超吸収性ポリマー粒子を備え、第１の吸収性複合材はＭＦＣ被覆ＳＡＰ側部と不織布基材側部を備え、及び
前記第2の吸収性複合材の不織布基材側部は、前記第１の吸収性複合材のＭＦＣ被覆ＳＡＰ側部に隣接して配置され、
並びに、
前記多層吸収性コアに隣接して配置された前記捕捉分配層を備える、吸収性物品。
【請求項２３】
前記捕捉分配層が、前記第2の吸収性複合材のＭＦＣ被覆ＳＡＰ側部に隣接して配置されているか、または、前記捕捉分配層が、前記第1の吸収性複合材の不織布基材側部に隣接して配置されている、請求項22に記載の吸収性物品。
【請求項２４】
前記第1及び第2の吸収性複合材が、サイズ及び前記吸収性物品内の相対的位置づけにおいて変動する、請求項22に記載の吸収性物品。
【請求項２５】
前記多層吸収性コアが折り畳まれている、請求項22に記載の吸収性物品。